(57)【特許請求の範囲】
【請求項１】
音声信号を入力する音声入力部と、
該入力された音声信号を音声認識する音声認識部と、
機器の内部状態に関する情報が、音声タグと関連付けて保存される情報保存部と、
前記音声認識部で認識された前記音声信号の中から前記機器の内部状態と関連付ける音声タグを取得し、該音声タグが、前記情報保存部に保存されている音声タグのいずれかと一致するか否かを判定する音声タグ取得部と、
前記音声タグが、前記情報保存部に保存されている音声タグと一致しない場合、前記音声信号の入力時点の前記内部状態に関する情報を収集して、前記情報保存部に保存する情報収集部と、
前記音声タグが、前記情報保存部に保存されている音声タグのいずれかと一致する場合、前記音声タグを検索キーとして前記情報保存部で保存されている前記内部状態に関する情報を読み出し再現する情報再現部とを含むことを特徴とした音声を用いた機器情報保存・再現装置。
【請求項２】
音声信号を入力する音声入力部と、
該入力された音声信号を音声認識する音声認識部と、
機器の内部状態に関する情報が、音声タグと関連付けて保存される情報保存部と、
前記音声認識部で認識された前記音声信号の中から内部状態に関する情報を取得する時点を示す音声コマンドを選択する音声コマンド選択部と、
前記音声認識部で認識された前記音声信号の中から前記機器の内部状態と関連付ける音声タグを取得し、該音声タグが、前記情報保存部に保存されている音声タグのいずれかと一致するか否かを判定する音声タグ取得部と、
前記音声タグが、前記情報保存部に保存されている音声タグと一致しない場合、前記取得する時点を示す音声コマンド入力時点の前記内部状態に関する情報を収集して、前記情報保存部に保存する情報収集部と、
前記音声タグが、前記情報保存部に保存されている音声タグのいずれかと一致する場合、前記音声タグを検索キーとして前記情報保存部で保存されている前記内部状態に関する情報を読み出し再現する情報再現部とを含むことを特徴とした音声を用いた機器情報保存・再現装置。
【請求項３】
音声信号を入力する音声入力部と、
該入力された音声信号を音声認識する音声認識部と、
機器の内部状態に関する情報が、音声タグと関連付けて保存される情報保存部と、
前記内部状態に関する情報の取得を開始する時点を示すコマンド及び前記内部状態に関する情報の取得を終了する時点を示すコマンドを入力するコマンド入力部と、
前記音声認識部で認識された前記音声信号の中から内部状態と関連付ける音声タグを取得し、該音声タグが、前記情報保存部に保存されている音声タグのいずれかと一致するか否かを判定する音声タグ取得部と、
前記音声タグが、前記情報保存部に保存されている音声タグと一致しない場合、前記取得を開始する時点を示すコマンド入力時点から前記取得を終了する時点を示すコマンド入力時点までの前記内部状態に関する情報を収集して、前記情報保存部に保存する情報収集部と、
前記音声タグが、前記情報保存部に保存されている音声タグのいずれかと一致する場合、前記音声タグを検索キーとして前記情報保存部で保存されている前記内部状態に関する情報を読み出し再現する情報再現部とを含むことを特徴とした音声を用いた機器情報保存・再現装置。
【請求項４】
音声信号を入力する音声入力部と、
該入力された音声信号を音声認識する音声認識部と、
機器の内部状態に関する情報が、音声タグと関連付けて保存される情報保存部と、
前記音声認識部で認識された前記音声信号の中から前記機器の内部状態に関する情報の取得を開始する時点を示す音声コマンド及び前記機器の内部状態に関する情報の取得を終了する時点を示す音声コマンドを選択する音声コマンド選択部と、
前記音声認識部で認識された前記音声信号の中から前記機器の内部状態と関連付ける音声タグを取得し、該音声タグが、前記情報保存部に保存されている音声タグのいずれかと一致するか否かを判定する音声タグ取得部と、
前記音声タグが、前記情報保存部に保存されている音声タグと一致しない場合、前記取得を開始する時点を示す音声コマンド入力時点から前記取得を終了する時点を示す音声コマンド入力時点までの前記内部状態に関する情報を収集して、前記情報保存部に保存する情報収集部と、
前記音声タグが、前記情報保存部に保存されている音声タグのいずれかと一致する場合、収集された前記内部状態に関する情報を、前記音声タグと関連付けて保存する情報保存部と、
前記音声タグを検索キーとして前記情報保存部で保存されている前記内部状態に関する情報を読み出し再現する情報再現部とを含むことを特徴とした音声を用いた機器情報保存・再現装置。
【請求項５】
コンピュータを、機器情報保存・再現装置として機能させるプログラムを記録したコンピュータ読み取り可能な記録媒体であって、
前記コンピュータが、
音声信号を入力するステップと、
該入力された音声信号を音声認識するステップと、
機器の内部状態に関する情報を、音声タグと関連付けて保存するステップと、
前記認識された前記音声信号の中から前記機器の内部状態と関連付ける音声タグを取得し、該音声タグが、前記情報保存部に保存されている音声タグのいずれかと一致するか否かを判定するステップと、
前記音声タグが、前記情報保存部に保存されている音声タグと一致しない場合、前記音声信号の入力時点の前記内部状態に関する情報を収集して保存するステップと、
前記音声タグが、前記情報保存部に保存されている音声タグのいずれかと一致する場合、前記再現を指示するコマンド入力時点において、前記音声タグを検索キーとして保存されている前記内部状態に関する情報を読み出し再現するステップとを前記コンピュータに実行させることにより、前記コンピュータを機器情報保存・再現装置として機能させるプログラムを記録したコンピュータ読み取り可能な記録媒体。
【発明の詳細な説明】
【０００１】
【発明の属する技術分野】
本発明は、ユーザの操作に伴って変化する使用機器の内部状態を音声タグと関連付けて保存し、必要に応じて当該内部状態を再現することのできる音声を用いた機器情報保存・再現装置に関する。
【０００２】
【従来の技術】
昨今の電子技術の急速な発展により、ユーザが各種機器を用いる場合に各種の監視機能が付加されるようになってきている。例えば、オーディオ機器においては、その出力状態をデシベル値をグラフィック表示することで容易にその出力状態を把握できるようになっている。また、自動車においては、エンジンの回転数をアナログ表示し、又はデジタル表示することで、ユーザが適正な回転数においてギアのチェンジを行うことで、よりスムーズかつ効率的な運転を行うことができるようになっている。さらに、パソコン等においては、ユーザに操作により変動するメモリ使用量をデジタル表示することができるソフトウェアプログラムが市場において流通するようになっている。
【０００３】
【発明が解決しようとする課題】
これらの機器を操作中に、現時点における機器の内部状態に関する情報を保存しておいたとしても、当該内部状態を再現するために当該内部状態に関する情報を検索するのは実際上困難であることが多いという問題点があった。
【０００４】
例えば、ビデオテープの再生において、ユーザが再度見たい画面に戻して再生することは一般に困難である。また、オーディオ機器においても、聴きたい曲を頭出しすることは容易であっても、曲の中における聞きたい部分からを正確に再生することはやはり容易とは言えない。
【０００５】
また、操作中に機器の不具合等が発生した場合、その原因究明のためには不具合が発生する前の状態に戻して、不具合発生時の現象を再現することが解決への近道であることは言うまでもない。しかし、現実には不具合発生前の状態を正確に再現することができないことの方が多いことから、不具合の発生原因を正確に把握することが困難であり、問題解決に多大な労力と時間を割くことになるという問題点もあった。
【０００６】
また、上記問題点を解決するべく、操作履歴情報等を記録しておく方法も考えられているが、前回の操作によって機器の内部状態が変動してしまっている場合には、再度同一の操作を行ったとしても、ユーザが欲している結果と同一結果が得られるという保証はない。
【０００７】
本発明は、上記問題点に鑑み、指定された時点における機器等の内部状態に音声タグを関連付け、当該音声タグを用いて容易に機器等の内部状態を再現することができる音声を用いた機器情報保存・再現装置及び媒体を提供することを目的とする。
【０００８】
【課題を解決するための手段】
上記目的を達成するために本発明にかかる音声を用いた機器情報保存・再現装置は、音声信号を入力する音声入力部と、内部状態に関する情報を取得する時点を示すコマンド又は再現を指示するコマンドを入力するコマンド入力部と、音声入力部で入力された音声信号の中から内部状態と関連付ける音声タグを取得する音声タグ取得部と、取得する時点を示すコマンド入力時点の内部状態に関する情報を収集する情報収集部と、収集された内部状態に関する情報を、音声タグと関連付けて保存する情報保存部と、再現を指示するコマンド入力時点において、音声タグを検索キーとして情報保存部で保存されている内部状態に関する情報を読み出し再現する情報再現部とを含むことを特徴とする。
【０００９】
かかる構成により、ユーザの音声入力と関連付けて、その時点での機器の内部状態に関する情報を保存することができるので、音声入力によってユーザが希望する時点での機器の内部状態に関する情報を容易に取得することができ、必要や好みに応じて機器を任意の保存した状態に戻して再現することが可能となる。
【００１０】
次に、上記目的を達成するために本発明にかかる音声を用いた機器情報保存・再現装置は、音声信号を入力する音声入力部と、音声入力部で入力された音声信号の中から内部状態に関する情報を取得する時点を示す音声コマンドを選択する音声コマンド選択部と、音声入力部で入力された音声信号の中から内部状態と関連付ける音声タグを取得する音声タグ取得部と、取得する時点を示す音声コマンド入力時点の内部状態に関する情報を収集する情報収集部と、収集された内部状態に関する情報を、音声タグと関連付けて保存する情報保存部と、音声タグを検索キーとして情報保存部で保存されている内部状態に関する情報を読み出し再現する情報再現部とを含むことを特徴とする。
【００１１】
かかる構成により、内部状態に関する情報の取得時点を指示するために別途コマンドを入力することなく、ユーザの音声入力と関連付けて、その時点での機器の内部状態に関する情報を保存することができるので、音声入力によってユーザが希望する時点での機器の内部状態に関する情報を容易に取得することができ、必要や好みに応じて機器を任意の保存した状態に戻して再現することが可能となる。
【００１２】
次に、上記目的を達成するために本発明にかかる音声を用いた機器情報保存・再現装置は、音声信号を入力する音声入力部と、内部状態に関する情報の取得を開始する時点を示すコマンド及び内部状態に関する情報の取得を終了する時点を示すコマンドを入力するコマンド入力部と、音声入力部で入力された音声信号の中から内部状態と関連付ける音声タグを取得する音声タグ取得部と、取得を開始する時点を示すコマンド入力時点から取得を終了する時点を示すコマンド入力時点までの内部状態に関する情報を収集する情報収集部と、収集された内部状態に関する情報を、音声タグと関連付けて保存する情報保存部と、音声タグを検索キーとして情報保存部で保存されている内部状態に関する情報を読み出し再現する情報再現部とを含むことを特徴とする。
【００１３】
かかる構成により、時系列データにおいても、内部状態を再現するのに必要な保存開始時点から保存終了時点までの内部状態に関する情報を取得することが可能となり、必要や好みに応じて機器を任意の保存した状態に戻して再現することが可能となる。
【００１４】
次に、上記目的を達成するために本発明にかかる音声を用いた機器情報保存・再現装置は、音声信号を入力する音声入力部と、音声入力部で入力された音声信号の中から内部状態に関する情報の取得を開始する時点を示す音声コマンド及び内部状態に関する情報の取得を終了する時点を示す音声コマンドを選択する音声コマンド選択部と、音声入力部で入力された音声信号の中から内部状態と関連付ける音声タグを取得する音声タグ取得部と、取得を開始する時点を示す音声コマンド入力時点から取得を終了する時点を示す音声コマンド入力時点までの内部状態に関する情報を収集する情報収集部と、収集された内部状態に関する情報を、音声タグと関連付けて保存する情報保存部と、音声タグを検索キーとして情報保存部で保存されている内部状態に関する情報を読み出し再現する情報再現部とを含むことを特徴とする。
【００１５】
かかる構成により、内部状態に関する情報の取得時点を指示するために別途コマンドを入力することなく、時系列データにおいても、内部状態を再現するのに必要な保存開始時点から保存終了時点までの内部状態に関する情報を取得することが可能となり、必要や好みに応じて機器を任意の保存した状態に戻して再現することが可能となる。
【００１６】
また、本発明は、上記のような音声を用いた機器情報保存・再現装置の機能をコンピュータの処理ステップとして実行するソフトウェアを特徴とするものであり、具体的には、音声信号を入力する工程と、内部状態に関する情報を取得する時点を示すコマンド又は再現を指示するコマンドを入力する工程と、入力された音声信号の中から内部状態と関連付ける音声タグを取得する工程と、取得する時点を示すコマンド入力時点の内部状態に関する情報を収集する工程と、収集された内部状態に関する情報を、音声タグと関連付けて保存する工程と、再現を指示するコマンド入力時点において、音声タグを検索キーとして保存されている内部状態に関する情報を読み出し再現する工程とを含む音声を用いた機器情報保存・再現方法並びにそのような工程をプログラムとして記録したコンピュータ読み取り可能な記録媒体であることを特徴とする。
【００１７】
かかる構成により、コンピュータ上へ当該プログラムをロードさせ実行することで、ユーザの音声入力と関連付けて、その時点での機器の内部状態に関する情報を記憶することができるので、音声入力によってユーザが希望する時点での機器の内部状態に関する情報を容易に取得することができ、障害発生時等に障害発生前の状態に容易に復元することが可能となる音声を用いた機器情報保存・再現装置を実現することができる。
【００１８】
【発明の実施の形態】
（実施の形態１）
以下、本発明の実施の形態１にかかる音声を用いた機器情報保存・再現装置について、図面を参照しながら説明する。図１は本発明の実施の形態１にかかる音声を用いた機器情報保存・再現装置の構成図である。図１は、音声入力によって機器の内部状態に関する情報の取得を開始するものである。
【００１９】
図１において、１１は音声入力部を、１２は音声認識部を、１３は音声タグ取得部を、１４はコマンド入力部を、１５は情報収集部を、１６は情報保存部を、１７は情報再現部を、それぞれ示す。
【００２０】
音声入力部１１は、マイク等の音声入力媒体であって、ユーザの音声をアナログ値として入力するものである。ここでは、機器の内部状態に関する情報の収集の開始点及び終了点を指示する音声タグを付加するためのものである。
【００２１】
音声認識部１２は、音声入力部１１から入力された音声の内容を認識するものである。音声認識の方式については、特に限定されるものではない。例えば特定話者認識方式の場合には入力される音声は音声パターンとして記録される。より具体的には音声の波形データや特徴量パターンとして記録される。また、不特定話者方式の場合には入力される音声は音素列として記録される。
【００２２】
音声タグ取得部１３は、音声認識部１２において認識された音声信号の中から、機器の内部状態に関して取得した情報に付するべき音声タグを取得する。例えば、音声信号の中から「開始」という音声を機器の内部状態再現の開始点としての音声タグとしたり、「終了」という音声を機器の内部状態再現の終了点としての音声タグとすることを意味する。
【００２３】
ただし、音声タグは取得した情報に付するラベルとしての位置付けでしかなく、機器の内部状態に関する情報取得時点の指定、あるいは機器の内部状態に関する情報取得の開始点・終了点の指定はコマンド入力部１４におけるユーザによるコマンド入力によって行われる。コマンド入力は、キーボード等から直接コマンドを入力するものでも良く、入力された音声を利用した音声コマンドでも良い。
【００２４】
音声コマンドで行う場合には、図２に示すように音声コマンド選択部２１がコマンド入力部１４に代わって配置される構造となる。音声コマンド選択部２１は、音声入力部１１で入力された音声の中から、機器の内部状態に関する情報取得時点の指定、あるいは機器の内部状態に関する情報取得の開始点・終了点の指定をすべき音声を選択するものである。
【００２５】
情報収集部１５は、機器の内部状態に関する情報を収集するためのものである。すなわち、コマンド入力部１４において指定された情報収集の開始点を示すコマンドから終了点を示すコマンドの間でのみ、機器の内部状態に関する情報の変更履歴を収集する。あるいは、情報取得の一時点を示すコマンドのみを用いてその時点における機器の内部状態に関する情報を収集するものであっても良い。
【００２６】
情報保存部１６は、収集された機器の内部状態に関する情報を音声タグ取得部１３で取得された音声タグと関連付けられた状態で保存するためのものである。すなわち、情報収集の開始点を示すコマンドから終了点を示すコマンドの間で収集された機器の内部状態に関する情報と、再現する開始点及び終了点を指示する音声タグとを関連付けて保存することで、機器の内部状態に関する情報を再現する時に音声タグによって欲する機器の内部状態に関する情報を読み出して再現することができるようにするものである。
【００２７】
内部状態に関する情報の関連付けは、以下のような方法で行う。図３は「開始」コマンド及び「終了」コマンドを音声入力した場合における機器の内部状態に関する情報取得のイメージ図である。図３に示す情報は時系列ベースの履歴情報であるが、常時全ての情報を取得することはできないので、一定の時間間隔ごとに内部状態に関する情報を取得する。
【００２８】
すなわち、最初に音声タグ３１によって機器の内部状態に関する情報取得開始時刻ｔ1が指定されると、時刻ｔ1における機器の内部状態に関する情報が保存される。保存中は取得対象となる情報については更新不可とするか、更新情報を無視するものとする。
【００２９】
保存が完了し、一定時間Δｔが経過すると、再度その時点における機器の内部状態に関する情報が保存される。かかる作業を音声タグ３２によって指定された機器の内部状態に関する情報取得終了時刻ｔ2まで繰り返す。なお、一定時間ごとに機器の内部状態を保存することに限定されるものではなく、例えば、機器の内部状態を常時監視しておき、内部状態が変化するごとにその時点の内部状態に関する情報を保存するものでも良い。
【００３０】
機器の内部状態に関する情報と音声タグとの関連付けは原則として図４に示すようにして行う。図４においては、音声タグそれぞれに内部情報へのポインタを対応付け、各ポインタの指示するアドレス上に保存される内部情報を配置することで関連付けされている。
【００３１】
機器の内部状態に関する情報と音声タグとの関連付けが１対多の関係にある場合、すなわち時系列データである場合には、図５に示すように音声タグに内部情報でのポインタを複数対応付けると共に、記録されている状態数を音声タグと対応付けて保存する。なお、２番目以降の内部状態を再現させるには、「次」を示すコマンドを入力するものであったり、一定時間ごとに内部状態を再現するものであっても良い。
【００３２】
情報再現部１７は、保存されている機器の内部状態に関する情報を、再度当該機器において再現させるためのものであり、例えば「開始」という音声が入力されると、「開始」という音声タグに関連付けられて保存されている機器の内部状態に関する情報が読み出され、当該機器に反映されることで、過去の状態を容易に再現することができる。
【００３３】
また、時系列データの場合には状態数を指定することで、例えば試作中の機器の稼働テストを行う場合等にはテスト開始前の状態を容易に探索することができ、より高い精度でテストにおける障害要因を特定することが可能となる。
【００３４】
以上のように、本実施の形態１によれば、ユーザの音声入力と対応させて、その時点での機器の内部状態に関する情報を保存することができるので、たとえユーザが操作途上であっても音声入力によってユーザが希望する時点での機器の内部状態に関する情報を容易に取得することができ、必要や好みに応じて機器を任意の保存している内部状態に戻すことが可能となる。
【００３５】
また、音声タグをトリガとして、機器の内部状態を容易に再現することができるので、内部情報が時系列データであっても、機器のテスト時等において障害発生原因の特定に最も有効な内部状態を特定することも容易である。
【００３６】
（実施の形態２）
以下、本発明の実施の形態２にかかる音声を用いた機器情報保存・再現装置について、図面を参照しながら説明する。図６は本発明の実施の形態２にかかる音声を用いた機器情報保存・再現装置の構成図である。
【００３７】
図６では、音声入力によって機器の内部状態に関する情報を収集する開始点及び終了点を指定するものではなく、常時一定間隔で監視しつつ、音声信号が入力されたことを検知した時点における機器の内部状態に関する情報を、当該音声信号を音声タグとして関連付けて収集・保存する機器情報保存・再現装置について説明する。
【００３８】
図６において、６１は外部信号入力部を、６２は音声抽出／認識部を、６３は音声タグ抽出部を、６４は情報収集部を、６５は情報保存部を、６６は再現対象音声タグ選択部を、６７は情報再現部を、それぞれ示す。
【００３９】
外部信号入力部６１は、マイク等の音声等外部環境に存する“音”の入力媒体であって、ユーザの音声等をアナログ値として入力するものである。
【００４０】
音声抽出／認識部６２は、外部信号入力部６１から入力されている“音”から音声を抽出して、その内容を認識するものである。音声認識の方式については、特に限定されるものではない。例えば特定話者認識方式の場合には入力される音声は音声パターンとして記録される。より具体的には音声の波形データや特徴量パターンとして記録される。また、不特定話者方式の場合には入力される音声は音素列として記録される。
【００４１】
そして、音声タグ取得部６３は、音声が入力されたことが認識されるごとに、当該音声信号を音声タグとして取得する。
【００４２】
情報収集部６４は、実施の形態１とは異なり、音声タグが音声タグ取得部６３で取得されるごとに機器の内部状態に関する情報を収集する。したがって、例えば常時会話が継続しているような環境（例えば、会議やパーティー等）においては、機器の内部状態に関する情報を常時収集する必要があり、この場合には履歴情報として機器の内部状態に関する情報を収集するか、あるいは一定間隔ごとにその時点での機器の内部状態に関する情報を取得する方法が考えられる。なお、情報取得の形態は特にこれに限定されるものではない。
【００４３】
情報保存部６５は、収集された機器の内部状態に関する情報を音声タグ取得部６３で取得された音声タグと関連付けて保存するためのものである。すなわち、一時点における内部状態に関する情報だけでなく、時系列データの形態を有する履歴情報においても、音声タグ取得部６３で取得された音声タグと関連付けて保存しておくことで、機器の内部状態に関する情報がどの時点の情報であるのかを明確に指示できるようにしたものである。
【００４４】
かかる構成とすることで、音声タグ取得部６３で取得された音声タグによって機器の内部状態に関する情報がどの時点の情報であるのかを明確に指示できることから、ユーザが意識してボタン等を押して再現すべき機器の内部状態に関する情報を指示する必要がなくなる。
【００４５】
例えば、電子ペットへの話しかけ等においては、ユーザが一定の言葉を話しかけたことによって電子ペットが楽しい挙動をした場合、ユーザが一定の言葉を話しかけた時点の状態から機器の内部状態を再現すれば、再度同一の言葉を話しかけることによって電子ペットに同一の挙動をさせることが可能となる。これは、ユーザが話しかけた音声を音声タグとして抽出しておくことで、当該音声タグと関連付けてその時点における機器の内部状態に関する情報が保存されていることから、再現時にユーザが同一の言葉を話しかけることによって、前回同一の言葉を話しかけた時点における機器の内部状態を再現するよう指定することは容易だからである。
【００４６】
内部状態に関する情報の関連付けについては、実施の形態１と同様の方法が考えられる。
【００４７】
再現対象音声タグ選択部６６は、音声タグ取得部６３において取得された音声タグのうち、機器の内部状態に関する情報を再現する開始点とすべき音声タグを選択するものである。例えば、電子ペットへ「おすわり」と話しかけたことによって電子ペットが楽しい挙動をした場合、ユーザが「おすわり」と話しかけた時点を再現開始点として機器の内部状態に関する情報を再現することで、電子ペットに同一の挙動をさせることが可能となることから、「おすわり」という音声タグを選択することで、容易に電子ペットに前回と同一の楽しい挙動をさせることが可能となる。
【００４８】
情報再現部６７は、保存されている機器の内部状態に関する情報を、再度当該機器において再現させるためのものであり、再現対象音声タグ選択部６６においてユーザにより指定された音声タグに関連付けられている機器の内部状態に関する情報が読み出され、当該機器に反映されることで、過去の状態を容易に再現することができる。
【００４９】
以上のように、本実施の形態２によれば、ユーザが音声タグの入力を特に意識することなく、音声が入力された時点の機器の内部状態に関する情報を確実に保存することができるので、音声が入力されたあらゆる時点における機器の内部状態に関する情報を容易に取得することができる。したがって、ユーザが予期していなかった現象の発生時、例えば障害が発生した場合等において、障害発生前に入力されている音声タグ付加時点の状態に容易に復元することができるので、より効果的に原因究明が可能となる。
【００５０】
なお、デジタルカメラにおける撮影等については時系列データではないが、デジタルカメラによる撮影時のデジタルカメラの状態、例えば角度や明るさ等のデータを記憶することで、より撮影がうまく行われた場合の条件解析に役立てることができる。
【００５１】
また、オーブンレンジ等の調理器具の使用方法において、特にうまく調理できた時の状態を記憶させることで、料理初心者であっても上級者と同等の味を引き出すことができる調理器具の使用方法を再現させることもできる。
【００５２】
次に、本発明の実施の形態１にかかる機器情報保存・再現装置を実現するプログラムの処理の流れについて説明する。図７に本発明の実施の形態１にかかる機器情報保存・再現装置を実現するプログラムの処理の流れ図を示す。
【００５３】
図７において、まず音声信号を入力して（ステップＳ７１）、音声認識処理を行う（ステップＳ７２）。入力された音声信号があらかじめ保存されている音声タグと一致する場合には（ステップＳ７３：Ｙｅｓ）、保存されている機器の内部状態に関する情報を読み出して（ステップＳ７４）、その内部状態を再現する（ステップＳ７５）。入力された音声信号があらかじめ選択されている音声タグと一致しなければ（ステップＳ７３：Ｎｏ）、当該音声信号が入力された時点における機器の内部状態に関する情報を収集して（ステップＳ７６）、保存する（ステップＳ７７）。
【００５４】
本発明の実施の形態にかかる機器情報保存・再現装置を実現するプログラムを記憶した記録媒体は、図８に示す記録媒体の例に示すように、ＣＤ−ＲＯＭ８２−１やフロッピーディスク８２−２等の可搬型記録媒体８２だけでなく、通信回線の先に備えられた他の記憶装置８１や、コンピュータ８３のハードディスクやＲＡＭ等の記録媒体８４のいずれでも良く、プログラム実行時には、プログラムはローディングされ、主メモリ上で実行される。
【００５５】
また、本発明の実施の形態にかかる機器情報保存・再現装置により生成された音声タグと関連付けられた内部状態データ等を記録した記録媒体も、図８に示す記録媒体の例に示すように、ＣＤ−ＲＯＭ８２−１やフロッピーディスク８２−２等の可搬型記録媒体８２だけでなく、通信回線の先に備えられた他の記憶装置８１や、コンピュータ８３のハードディスクやＲＡＭ等の記録媒体８４のいずれでも良く、例えば本発明にかかる機器情報保存・再現装置を利用する際にコンピュータにより読み取られる。
【００５６】
【発明の効果】
以上のように本発明にかかる機器情報保存・再現装置によれば、ユーザの音声入力と対応させて、その時点での機器の内部状態に関する情報を保存することができるので、たとえユーザが操作途上であっても音声入力によってユーザが希望する時点での機器の内部状態に関する情報を容易に取得することができ、必要や好みに応じて機器を任意の保存した状態に容易に再現することが可能となる。
【図面の簡単な説明】
【図１】  本発明の実施の形態１にかかる機器情報保存・再現装置の構成図
【図２】  本発明の実施の形態１にかかる機器情報保存・再現装置の構成図
【図３】  本発明の実施の形態１にかかる機器情報保存・再現装置における機器の内部状態に関する情報取得手法の説明図
【図４】  本発明の実施の形態１にかかる機器情報保存・再現装置における音声タグの関連付けの説明図
【図５】  本発明の実施の形態１にかかる機器情報保存・再現装置における音声タグの関連付けの説明図
【図６】  本発明の実施の形態２にかかる機器情報保存・再現装置の構成図
【図７】  本発明の実施の形態１にかかる機器情報保存・再現装置における機器の内部状態に関する情報の保存・再現時の処理流れ図
【図８】  記録媒体の例示図
【符号の説明】
１１、５１  音声入力部
１２、５２  音声認識部
１３、６３  音声タグ取得部
１４  コマンド入力部
１５、６４  情報収集部
１６、６５  情報保存部
１７、６７  情報再現部
２１  音声コマンド選択部
３１  保存開始音声コマンド
３２  保存終了音声コマンド
６１  外部信号入力部
６２  音声抽出／認識部
６６  再現対象音声タグ選択部
８１  回線先の記憶装置
８２  ＣＤ−ＲＯＭやフロッピーディスク等の可搬型記録媒体
８２−１  ＣＤ−ＲＯＭ
８２−２  フロッピーディスク
８３  コンピュータ
８４  コンピュータ上のＲＡＭ／ハードディスク等の記録媒体
【図１】
0004252173.tif 000002
【図２】
0004252173.tif 000003
【図３】
0004252173.tif 000004
【図４】
0004252173.tif 000005
【図５】
0004252173.tif 000006
【図６】
0004252173.tif 000007
【図７】
0004252173.tif 000008
【図８】
0004252173.tif 000009